(57)【特許請求の範囲】
【請求項１】
駆動源からの動力の供給を受け、非接触かつ無給油で回転可能なロータを有する圧縮機本体と、
少なくとも前記圧縮本体の軸受部分を潤滑する潤滑油の流通経路と、
前記潤滑油の流通経路に配設される潤滑油用空冷式冷却器と、
前記潤滑油用空冷式冷却器に冷却風を供給する冷却ファンと、
前記潤滑油の流通経路に設けられて潤滑油の温度を検出する温度センサと、
アンロード運転中に、前記温度センサによる検出温度が予め設定された基準温度以下となるように、前記冷却ファンの回転数を加減速制御する制御信号を出力する冷却ファン制御部と、を備え、
前記冷却ファン制御部が、
前記アンロード運転からロード運転に移行した場合に、前記アンロード運転中に前記空冷ファンを加速させるときの加速度よりも高い加速度で前記空冷ファンを加速させる無給油式圧縮機。
【請求項２】
請求項１に記載の無給油式圧縮機であって、前記高い加速度が、前記アンロード運転中に前記空冷ファンを加速させるときの加速度の２倍以上である無給油式圧縮機。
【請求項３】
請求項１又は２に記載の無給油式圧縮機であって、
前記ロータと前記駆動源を連結し、前記流通経路から前記潤滑油の供給を受ける駆動ギヤを備える無給油式圧縮機。
【請求項４】
駆動源からの動力の供給を受け、非接触かつ無給油で回転可能なロータを有する圧縮機本体と、
少なくとも前記圧縮本体の軸受部分を潤滑する潤滑油の流通経路と、
前記潤滑油の流通経路に配設される潤滑油用空冷式冷却器と、
前記潤滑油用空冷式冷却器に冷却風を供給する冷却ファンと、
前記潤滑油の流通経路に設けられて潤滑油の温度を検出する温度センサと、
アンロード運転中に、前記温度センサによる検出温度が予め設定された基準温度以下となるように、前記冷却ファンの回転数を加減速制御する制御信号を出力する冷却ファン制御部と、を備え、
前記冷却ファン制御部が、
前記アンロード運転からロード運転に移行した場合に、前記アンロード運転中に前記空冷ファンを加速させるときの時間よりも短い時間で前記空冷ファンを加速させる無給油式圧縮機。
【請求項５】
請求項４に記載の無給油式圧縮機であって、前記短い時間が、前記アンロード運転中に前記空冷ファンを加速させるときの時間の１/２以下である無給油式圧縮機。
【請求項６】
駆動源からの動力の供給を受け、非接触かつ無給油で回転可能なロータを有する圧縮機本体と、
少なくとも前記圧縮本体の軸受部分を潤滑する潤滑油の流通経路と、
前記潤滑油の流通経路に配設される潤滑油用空冷式冷却器と、
前記潤滑油用空冷式冷却器に冷却風を供給する冷却ファンと、
前記潤滑油の流通経路に設けられて潤滑油の温度を検出する温度センサと、
アンロード運転中に、前記温度センサによる検出温度が予め設定された基準温度以下となるように、前記冷却ファンの回転数を加減速制御する制御信号を出力する冷却ファン制御部と、を備え、
前記冷却ファン制御部が、
前記冷却ファンの回転数を加速させる場合の加速度の絶対値を、前記冷却ファンの回転数を減速させる場合の減速度の絶対値より大とするものである無給油式圧縮機。
【請求項７】
請求項６に記載の無給油式圧縮機であって、前記加速度の絶対値が前記減速度の絶対値の２倍以上である無給油式圧縮機。
【請求項８】
請求項６又は７に記載の無給油式圧縮機であって、
前記冷却ファン制御部が、
アンロード運転からロード運転に移行した場合に、前記アンロード運転中に前記冷却ファンを加速させる場合の加速度と同じ加速度で前記空冷ファンを加速させる無給油式圧縮機。
【請求項９】
無給油式圧縮機の制御方法であって、
アンロード運転中に、少なくともギヤ及び圧縮機本体の軸受部分の何れかを潤滑する潤滑油の検出温度が予め設定された基準温度以下となるように、前記潤滑油の冷却ファンの回転数を加減速させ、
前記潤滑油の検出温度が前記基準温度より高くなると前記冷却ファンの回転を加速度βで加速させ、
アンロード運転からロード運転に移行した場合に、前記冷却ファンの回転を前記加速度βより高い加速度αで加速させる無給油式圧縮機の制御方法。
【請求項１０】
無給油式圧縮機の制御方法であって、
アンロード運転中に、少なくともギヤ及び圧縮機本体の軸受部分の何れかを潤滑する潤滑油の検出温度が予め設定された基準温度以下となるように、前記潤滑油の冷却ファンの回転数を加減速させ、
前記潤滑油の検出温度が前記基準温度より高くなると前記冷却ファンの回転を加速時間Ｖｄで加速させ、
アンロード運転からロード運転に移行した場合に、前記冷却ファンの回転を前記加速時間Ｖｄより短い加速時間Ｖｕで加速させて全速運転を行う無給油式圧縮機の制御方法。
【請求項１１】
無給油式圧縮機の制御方法であって、
アンロード運転中に、少なくともギヤ及び圧縮機本体の軸受部分の何れかを潤滑する潤滑油の検出温度が、予め設定された基準温度以下となるように、前記潤滑油の冷却ファンの回転数を加減速させ、
前記潤滑油の検出温度が前記基準温度より高くなった場合に、前記冷却ファンの回転を前記減速度βの絶対値より高い絶対値の加速度αで加速させる無給油式圧縮機の制御方法。
【請求項１２】
請求項１１に記載の無給油式圧縮機の制御方法であって、
更に、アンロード運転からロード運転に移行した場合に、前記冷却ファンの回転を前記加速度αで加速させる無給油式圧縮機の制御方法。
【発明の詳細な説明】
【技術分野】
【０００１】
本発明は無給油式圧縮機及びその制御方法に関する。
【背景技術】
【０００２】
一般に無給油式圧縮機は非接触かつ無給油で回転可能な一対の雄雌のスクリューロータを有し、このスクリューロータによって空気を圧縮する。空冷の無給油式圧縮機は軸受およびギヤ等を潤滑する潤滑油、及び圧縮空気を冷却するための空冷式冷却器を備えており、冷却ファンによって冷却風を供給し、潤滑油及び圧縮空気と熱交換を行っている。
【０００３】
本技術分野の背景技術として特許文献１がある。特許文献１では、潤滑油の温度がある設定温度よりも高くなった場合、冷却ファンの回転数を増加させる機能と、吸込空気の温度がある設定温度よりも高くなった場合、冷却ファンの回転数を増加させる機能とを有する例が記載され、これによって潤滑油の温度や圧縮空気の温度を「適正に保つことができる。」とされている。
【先行技術文献】
【特許文献】
【０００４】
【特許文献１】特開第２００９−１３８４３号公報
【発明の概要】
【発明が解決しようとする課題】
【０００５】
無給油式圧縮機に関しては、圧縮空気の吐出温度を適正に保つことが必要であるが、本来、圧縮機本体の吐出温度はどんな条件であっても低いことが望ましい。無給油式圧縮機では、空気の圧縮過程で油が供給されないために吐出温度が高くなり、圧縮空気の冷却が不可欠である。そのため、冷却ファンの回転数を制御して省エネ化を図る際、どのような条件で冷却ファンの回転数を制御するかが問題となる。これに対応して、特許文献１では吸込空気の温度と潤滑油の温度に着目して冷却ファンを制御する例が開示されている。
【０００６】
ところで、圧縮機本体の低回転数領域では、圧縮過程において圧縮空気の漏れが増大する傾向がある。したがって、たとえ負荷が低い場合であっても、圧縮過程中で温度が上昇した空気がさらに圧縮され、いわゆる再圧縮が発生し、吐出空気が非常に高温となる場合がある。
【０００７】
特許文献１に記載の冷却ファンの回転数制御では、圧縮機本体の低回転数領域における現象を考慮した制御ではないため、この場合に冷却能力を十分に発揮できない可能性がある。
【０００８】
また、アンロード運転（無負荷運転）からロード運転（負荷運転）に復帰する場合には次の現象が生じ得る。例えば、特許文献１のように冷却ファンの回転数制御を行う際、アンロード運転中に吸込空気温度や潤滑油温度が低く、冷却ファンを低回転数で駆動している場合において、ロード運転に復帰すると圧縮空気の吐出温度が急激に上昇することがある。
【０００９】
このとき、吸込空気温度や潤滑油温度も上昇して行くために、これに基づいて冷却ファンの回転数が加速されるが、冷却ファンが全速になる時間より先に吐出温度が高くなってしまい、吐出温度異常を検出してしまうという問題が生じ得る。
【００１０】
本発明は上記課題に鑑みてなされたものであり、圧縮空気の吐出温度を低く保ち、省エネを図ることが可能な無給油式圧縮機とその制御方法を提供することを目的としている。
【課題を解決するための手段】
【００１１】
上記目的を達成するために本発明では特許請求の範囲に記載の例を採用しており、その一例は下記の通りである。
【００１２】
すなわち無給油式圧縮機は、駆動源からの動力の供給を受け、非接触かつ無給油で回転可能なロータを有する圧縮機本体と、
少なくとも前記圧縮本体の軸受部分を潤滑する潤滑油の流通経路と、
前記潤滑油の流通経路に配設される潤滑油用空冷式冷却器と、
前記潤滑油用空冷式冷却器に冷却風を供給する冷却ファンと、
前記潤滑油の流通経路に設けられて潤滑油の温度を検出する温度センサと、
アンロード運転中に、前記温度センサによる検出温度が予め設定された基準温度以下となるように、前記冷却ファンの回転数を加減速制御する制御信号を出力する冷却ファン制御部と、を備える。
【００１３】
そして、冷却ファン制御部が、前記アンロード運転からロード運転に移行した場合に、前記アンロード運転中に前記空冷ファンを加速させるときの加速度よりも高い加速度で前記空冷ファンを加速させるものとしている。
【００１４】
本発明の別の態様としては、例えば、前記アンロード運転からロード運転に移行した場合に、前記アンロード運転中に前記空冷ファンを加速させるときの時間よりも短い時間で前記空冷ファンを加速させるものである。
【００１５】
さらに別の態様としては、例えば、冷却ファン制御部は、前記冷却ファンの回転数を加速させる場合の加速度の絶対値を、前記冷却ファンの回転数を減速させる場合の減速度の絶対値より大とするものである。
【００１６】
また、本発明の制御方法の一例は、アンロード運転中に、少なくともギヤ及び圧縮機本体の軸受部分の何れかを潤滑する潤滑油の検出温度が予め設定された基準温度以下となるように、前記潤滑油の冷却ファンの回転数を加減速させ、前記潤滑油の検出温度が前記基準温度より高くなると前記冷却ファンの回転を加速度βで加速させ、アンロード運転からロード運転に移行した場合に、前記冷却ファンの回転を前記加速度βより高い加速度αで加速させることである。
【００１７】
別の例としては、アンロード運転中に、少なくともギヤ及び圧縮機本体の軸受部分の何れかを潤滑する潤滑油の検出温度が予め設定された基準温度以下となるように、前記潤滑油の冷却ファンの回転数を加減速させ、前記潤滑油の検出温度が前記基準温度より高くなると前記冷却ファンの回転を加速時間Ｖｄで加速させ、アンロード運転からロード運転に移行した場合に、前記冷却ファンの回転を前記加速時間Ｖｄより短い加速時間Ｖｕで加速させて全速運転を行うことである。
【００１８】
さらに別の例としては、アンロード運転中に、少なくともギヤ及び圧縮機本体の軸受部分の何れかを潤滑する潤滑油の検出温度が予め設定された基準温度以下となるように、前記潤滑油の冷却ファンの回転数を加減速させ、前記潤滑油の検出温度が前記基準温度より高くなった場合に、前記冷却ファンの回転を前記減速度βの絶対値より高い絶対値の加速度αで加速させることが挙げられる。
【発明の効果】
【００１９】
本発明によれば圧縮空気の吐出温度を低く保ち、省エネを図ることが可能な無給油式圧縮機とその制御方法を提供することができる。
【図面の簡単な説明】
【００２０】
【図１】本実施形態の無給油式スクリュー圧縮機の全体構成を示す図。
【図２】冷却ファンの制御ブロック図。
【図３】冷却ファンの制御フロー図。
【図４】回転数の加減速状態を示した図。
【発明を実施するための形態】
【００２１】
本発明の実施形態の特徴は次の通りである。すなわち、無給油式スクリュー圧縮機のロード運転中は、冷却ファンを全速で回転させて吐出空気の冷却を行い、アンロード運転中は一定条件を満たした場合に冷却ファンの回転数を減速するように制御を行う。具体的には、潤滑油温度が、予め設定されている基準温度より低くなると冷却ファンの回転数を減速させる。このような減速の条件が満たされなくなると、冷却ファンの回転数を加速させる。この場合の加速時間（加速度）と減速時間（減速度）との関係を特定しているのが本実施形態の特徴である。以下、具体的実施例を図面に基づき説明する。
【００２２】
図１は本実施形態の無給油式スクリュー圧縮機の全体構成を示す図である。図に示すように、圧縮機ユニットケース１に収納される無給油式スクリュー圧縮機は二段圧縮機であり、低圧段圧縮機本体２ａと高圧段圧縮機本体２ｂを備えている。この低圧段圧縮機本体２ａの吸込みガス通路の上流側に吸込み絞り弁６が設けられている。また、２つの圧縮機本体２は、それぞれ圧縮室内に一対のスクリューロータである雄ロータ３及び雌ロータ４を収納している。雌雄ロータ３、４は、無給油及び非接触状態で回転自在に配設されており、その外周部には容積が変化するガス通路の溝が形成されている。
【００２３】
両圧縮機本体２ａ、２ｂは、駆動源となる圧縮機本体駆動用モータ８により、駆動ギヤ７を介して回転駆動される。圧縮に使用される空気は、吸込みフィルタ５を介して外部から常温で取り込まれ、低圧段圧縮機本体２ａに供給される。この低圧段圧縮機本体２ａで圧縮された空気は、配管３５を通じて流通し、低圧段空冷式熱交換器（インタークーラ）９を通過して冷却された後、配管３６を通じて高圧段圧縮機本体２ｂに供給される。高圧段圧縮機本体２ｂにより、さらに圧縮された空気は配管３７を通じて高圧段空冷式熱交換器（アフタークーラ）１１へ供給されて冷却される。アフタークーラ１１で冷却された圧縮空気は圧縮機ユニット外部へ吐出される。
【００２４】
また、駆動ギヤ７はギヤケース１２内に収容されており、このギヤ部分や圧縮機本体２の軸受部分を潤滑するための潤滑油が、ギヤケース１２内の油溜まり部に貯留されている。本実施形態のスクリュー圧縮機は無給油式であるため、この潤滑油が上述の空気流通経路に混入しないようにシールされており、潤滑油の流通循環のための経路も独立して設けられている。
【００２５】
潤滑油の循環経路を説明する。ギヤケース１２に充填されている潤滑油は、潤滑油配管２１を通り、油温調整弁３３で油温が調整基準温度より低い時にはオイルクーラ１３をバイパスする経路が設けられている。調整基準温度より高い潤滑油は圧縮機潤滑油用空冷式熱交換器（オイルクーラ）１３によって適正温度まで冷却され、潤滑油配管２３に接続されたオイルフィルタ２２を通過後、圧縮機本体内に配置される圧縮機用軸受及び駆動ギヤ７へ供給される。そして、これらの冷却と回転部分の潤滑が行われ、その後、再びギヤケース１２内の油溜まり部へ回収される。
【００２６】
このように本実施形態の無給油式スクリュー圧縮機は、駆動ギヤ７により非接触かつ無給油で回転可能な雄雌一対のスクリューロータを有する圧縮機本体２と、圧縮機本体２から吐出される圧縮空気を冷却する空冷式冷却装置（インタークーラ９、アフタークーラ１１）と、圧縮機内外の駆動部で使用される軸受及びギヤ７用の潤滑と圧縮機本体の冷却のための潤滑油を冷却する空冷式冷却装置（オイルクーラ１３）とを有している。そして、これらの冷却装置（インタークーラ９、アフタークーラ１１、オイルクーラ１３）はいずれも空冷式の熱交換器であり、これらの熱交換器に対して冷却風を供給するために冷却ファン２５が設けられている。
【００２７】
次にこの冷却風の供給に関係する構造を説明する。圧縮機ユニットケース１の内部（図１の左下側参照）には、制御盤２４が備えられている。また、同じく圧縮機ユニットケース１の内部（図１の右上側参照）には冷却ファン２５が設けられている。この冷却ファン２５はモータ２６によって回転駆動され、モータ２６が回転することにより冷却ファン２５が回転し、冷却風が圧縮機ユニットケース１内部を流通することになる。
【００２８】
圧縮機ユニットケース１には吸気孔２７と排気孔２８とが形成されており、冷却ファン２５の回転により、圧縮機ユニットケース１に形成した吸気孔２７から外気が取り込まれる。取り込まれた外気は、ユニット内部の発熱部分（例えば、圧縮機本体２や圧縮機本体駆動用モータ８等）を冷却するとともに、インタークーラ９、アフタークーラ１１及びオイルクーラ１３と熱交換が行われる。この後、圧縮機ユニットケース１に形成した排気孔２８から排出される。
【００２９】
なお、図に示すように、冷却ファン２６は排気孔２８の近傍に設けられており、冷却ファン２６の作用は主として圧縮機ユニットケース１から排気を行うことに相当する。これにともなって、吸気孔２７から外気が取り込まれることになる。
【００３０】
本実施形態では、冷却ファン２６の回転数制御を行うことを特徴としており、次にこの回転数制御を行う構成を説明する。
【００３１】
既に説明したように、潤滑油の流通循環経路は空気流通経路とは隔離されて設けられており、本実施形態では、ギヤケース１２、潤滑油配管２１、オイルクーラ１３、潤滑油配管２３によって構成されている。この経路中に循環用ポンプやオイルフィルタ２２を有している。そして、オイルクーラ１３の出口側の潤滑油配管２３には、潤滑油の温度を検出するセンサ２９が設けられている。このセンサ２９の検出信号は、冷却ファン制御部３１に取り込まれる。
【００３２】
冷却ファン制御部３１は制御盤２４内に設けられており、後述するようにモータ２６の回転数を制御する。具体的には、冷却ファン制御部３１は、冷却ファン２５の回転数を可変させるためのインバータ及びこのインバータへの制御指令を与えるための制御部を有している。そして、センサ２９によって検出される潤滑油温度に基づいて冷却ファン２５の回転数制御を行うものとなっている。
【００３３】
なお、図１にて図示は省略するが、吸込縮空気の温度、圧縮機ユニットケース１の内外の温度、制御盤２４内の温度のいずれかも温度センサによって検出しており、冷却ファン制御部３１は、これらの温度情報に基づいて冷却ファンの回転数制御も行う。また、圧縮機の容量制御に同期した制御も可能としている。すなわち、圧縮機駆動用モータ８の回転数を可変するインバータを有しており（図示省略）、このモータ８の回転数に同期させて、あるいは、同調させて、冷却ファンの回転数制御を行うことも可能となっている。
【００３４】
図２に制御ブロック図を示す。この図は冷却ファン制御部３１の構成を示すもので、図１と同符号のものは同一部分である。
【００３５】
冷却ファン制御部３１は、潤滑油の基準温度、及び、吸込空気の基準温度を記憶する記憶部３１Ａと、第１のセンサ２９による潤滑油温度の検出値が記憶部３１Ａに記憶した潤滑油の基準温度よりも低くなった場合かつアンロード運転中の場合に、冷却ファン２５の回転数を減速させる制御信号を演算する演算部３１Ｂとを備えている。これにより、予め設定された潤滑油の基準温度及び吸込空気の基準温度に基づいた制御が可能となっている。
【００３６】
演算部３１Ｂからの制御信号は、冷却ファン専用インバータ３２に伝えられる。冷却ファン専用インバータ３２は、これに基づき、モータ２６へ制御波形を出力し、モータ２６は冷却ファン２５を回転数制御する。
【００３７】
また、図示は省略したが、これ以外の温度情報（例えば、吸込縮空気の温度、圧縮機ユニットケース１の内外の温度、制御盤２４内の温度）も冷却ファン制御部３１に送信され、これに基づいて演算部３１Ｂは演算して回転数指令を出力する。
【００３８】
次に本実施形態の制御フローを図３を用いて説明する。図３は冷却ファンの制御フロー図である。
【００３９】
まず、無給式スクリュー圧縮機がロード運転中の場合について述べる。圧縮機がロード運転をしている場合（ＳＴＥＰ：Ａ）、圧縮空気を供給している状態であるため、高温の圧縮空気を冷却するために、冷却ファン制御部３１による演算結果によらず、冷却ファン２５を全速で回転させる（ＳＴＥＰ：Ｂ）。このとき、圧縮機がアンロード運転に移行するか否かを継続的に監視しており（ＳＴＥＰ：Ｃ）、ロード運転が継続している場合には全速運転を維持する（ＳＴＥＰ：Ｃの「ＮＯ」の矢印参照）。一方、無給油式スクリュー圧縮機がアンロード運転となった場合には（ＳＴＥＰ：Ｃの「ＹＥＳ」の矢印）、冷却ファン２５の回転数制御に移行する。具体的には下記の通りである。
【００４０】
アンロード運転に移行直後は制御を安定させるため、予め定められた時間（例えば１秒）だけ冷却ファン２５の全速運転を維持し、当該時間経過後に回転数制御に移行する（ＳＴＥＰ：Ｄ参照）。
【００４１】
アンロード運転中は、周囲の環境温度により潤滑油の温度が下降する。このとき、潤滑油の温度が一定となるように冷却ファン２５の回転数制御を行う（ＳＴＥＰ：Ｅ参照）。すなわち、アンロード運転中は圧縮空気を外部へ供給しておらず、潤滑油の温度が所望の範囲に収まっていれば問題が無いため、この場合に冷却ファン２５の回転数制御を行って動力低減を図る運転モードへ移行するのである（ただし、他の温度情報（例えば、吸込縮空気の温度、圧縮機ユニットケース１の内外の温度、制御盤２４内の温度）も用いて回転数制御を行う場合には、これらの温度条件も同時に満たした上で減速運転を行う。）。
【００４２】
本実施形態では、潤滑油の温度が５５℃となるようなＰＩ制御を行い、冷却ファン用のインバータ３２が演算回転数の出力波形をモータ２６へと出力し、冷却ファン２５の回転数が制御される。
【００４３】
具体的には、センサ２９で検出された潤滑油温度が、記憶部３１Ａに記憶された潤滑油の基準温度よりも低くなった場合、冷却ファン制御部３１の演算部３１Ｂは冷却ファンの回転数を減速時間Ｖｄで減少させるように、制御信号を冷却ファン専用インバータ３２を介して冷却ファン２５のモータ２６に出力する。これにより、モータ２６の軸動力が下がり、省エネを図ることができる。潤滑油温度が上昇した場合には演算部３１Ｂは冷却ファンの回転数を加速時間Ｖｄで増加させるように制御信号を出力する。
【００４４】
このときの加速度／減速度をβとし、ＰＩ制御による回転数制御を行う場合には、加減速度βによって加速や減速を行う。
【００４５】
上記のようなアンロード運転中の回転数制御運転中においては、圧縮機がロード運転に移行するか否かを監視しており（ＳＴＥＰ：Ｆ参照）、アンロード運転が継続している場合には（ＳＴＥＰ：Ｆの「ＮＯ」の矢印）、回転数制御運転を継続する。
【００４６】
一方、ロード運転に移行した場合には（ＳＴＥＰ：Ｆの「ＹＥＳ」の矢印）、次の制御を行う。ロード運転復帰直後は制御を安定させるため、予め定められた時間（例えば１秒）だけ冷却ファン２５の回転数制御を維持し、当該時間経過後に全速運転に移行する（ＳＴＥＰ：Ｇ参照）。上述したように、ロード運転では冷却ファン２５の全速での運転を前提とするため、他の条件に関わらず、モータ２６を全速で運転させる。このとき、アンロード運転からロード運転へ復帰する場合、冷却ファン制御部３１の演算部３１Ｂは、冷却ファン２５の回転数を加速時間Ｖｕで増加させるように、制御信号を冷却ファン専用インバータ３２を介して冷却ファン２５のモータ２６に出力する。このときの加速時間Ｖｕは、前述の加減速時間Ｖｄより短い時間に設定している（Ｖｕ＜Ｖｄ）。また、このときの加速度αは前述の加減速度βより高加速度であり（α＞β）、早い立ち上がりで全速運転に移行するように制御される。
【００４７】
図４は回転数の加減速状態を示した図である。上段は第一の加減速制御であり、ＳＴＥＰ：Ｅにおける回転数の加減速状態、すなわち、アンロード運転中の加減速制御における加減速状態を示している。下段は第二の加減速制御であり、ＳＴＥＰ：Ｂにおける回転数の加速状態、すなわち、ロード運転復帰後の加速制御における加速状態を示している。
【００４８】
上段から理解されるように、低速、すなわち、低い回転数で冷却ファン２５が回転している場合に加速が指示されると、加速時間Ｖｄをかけて高速まで加速する。また、高速、すなわち高い回転数で冷却ファン２５が回転している場合に減速指示があると減速時間Ｖｄをかけて減速していく。
【００４９】
一方、下段から理解されるように、冷却ファン２５が低速、すなわち、低い回転で回転している場合に圧縮機がロード運転に復帰すると、加速時間Ｖｕをかけて高速まで加速する。
【００５０】
両者の加速時間の関係はＶｄ＞Ｖｕであり、加速度に置き換えると加速度α＞βとなり、ロード復帰時に高い加速度で回転数が制御されることがわかる。つまり、第二の加速制御では第一の加速制御よりも素早く加速し、短時間で全速運転へと移行する。このように制御することにより、ロード復帰後の圧縮空気の吐出温度の上昇が適正に抑えられ、異常値となってしまう事態を回避することができる。
【００５１】
この場合において、この実施形態において加速時間ＶｕはＶｄの半分以下、すなわち、ロード運転復帰時の加速度αを、アンロード運転時の加速度βの２倍、あるいはそれ以上とすることでロード運転復帰の急激な吐出温度上昇に対して冷却能力を素早く最大限に発揮することができる。
【００５２】
なお、この例ではアンロード運転中の加速度と減速度の絶対値をβとしているが、加速度に関してはαとしても差し支えない。この場合は、加速の場合の加速度を、ロード運転復帰時やアンロード運転時のいずれも「加速度α」として設定しておき、減速の場合の減速度を「減速度β」として記憶部に設定しておけばよく、制御上もシンプルな構成とすることができる。
【００５３】
また、図４の説明では、回転数の基準を「低速」と「高速」の二段階で設定し、この二段階の速度に向けて加減速を行う例としているが、必ずしもこれに限られない。すなわち、現在の制御速度（一例として図４の「低速」）と目標の制御速度（例えば「高速」）との間の加減速の度合いを制御する例を示したのであり、三段階以上、あるいは、無段階としてもよいことはいうまでもない。
【００５４】
以上、本実施形態では、ロード運転復帰後の吐出温度の急激な上昇を抑制することができる。また、冷却ファンが高回転に素早く復帰できるため、圧縮機本体の低回転数領域で再圧縮が生じ得る場合でも十分な冷却能力を発揮可能となる。これにより、吐出温度の適正化と省エネの両立を図った無給油式スクリュー圧縮機を提供することができる。
【符号の説明】
【００５５】
１…圧縮機ユニットケース、２…圧縮機本体、３…雄ロータ、４…雌ロータ、５…吸込みフィルタ、６…吸込み絞り弁、７…駆動ギヤ、８…圧縮機駆動用モータ、９…低圧段空冷式熱交換器、１１…高圧段空冷式熱交換器、１２…ギヤケース、１３…圧縮機潤滑油用空冷式熱交換器、２１…潤滑油用配管、２２…オイルフィルタ、２３…潤滑油用配管、２４…制御盤、２５…冷却ファン、２６…冷却ファン用モータ、２７…吸気孔、２８…排気孔、２９…温度センサ、３１…冷却ファン制御部、３２…インバータ、３３…油温調整弁。
【図１】
0005989072.tif 000002
【図２】
0005989072.tif 000003
【図３】
0005989072.tif 000004
【図４】
0005989072.tif 000005